(57)【要約】【目的】廃棄物を海底泥深く圧入処理を行う「廃棄物の底泥深層置換処理法」を提案してきたが、処理後の位置や場所の特定や確認を容易にし、環境保全上の不測のトラブルの予知、これ関する措置を容易にする。構成 底泥深層に廃棄物を注入処理を行う「廃棄物の底泥深層置換処理法」の周囲を浄化堤や不透過性堤体（締切り矢板堤等）堤体構造で囲い締切る「水域の空（UTSURO）」を構成する。検証可能な水域を設置する。効果 構造で囲い締切る「水域の空（UTSURO）」を構成する重力式堤体は堤体の地盤反力や、締切矢板により、廃棄物の圧入範囲を限定させ、不測の処置を容易し、トラブルの予知やシステムの検証可能にする効果を有する。又、大量の廃棄物を恒久的にしかも安全に処理する立地を可能にした。
2013065137.tif 000002
【特許請求の範囲】
【請求項１】
底泥深くケイシングを挿入し、ケイシング端より底泥深層地盤に廃棄物を注入処理する「廃棄物の底泥置換処理法」を実施しようとする水域に、堤体構造によって囲い締め切る「水域の空（UTSURO）」を構成する。「水域の空（UTSURO）」内に設置した廃棄物の底泥置換処理法
【発明の詳細な説明】
【技術分野】
【０００１】
本願発明は「水域の空（UTSURO）」内に設置した廃棄物の底泥深層置換処理法に関する。
【背景技術】
【０００２】
「水域の空（UTSURO）」とは水位変化のある水域を堤体構造で囲い締め切る囲繞水域を言う。
かつて、１９９９年に廃棄物の底泥深層置換処理法(特許３０００１９３号)を発明した。この技術は廃棄物の滲出汚水を防止する為、海底泥深く圧入処理を行うものである。
【特許文献１】JP３０００１９３号
【発明の概要】
【発明が解決しようとする課題】
【０００３】
廃棄物処分場の立地は環境保全上また社会的にも大きな問題となっている。
中でも、放射能廃棄物処理は大きな問題で立地的は更に難しい。
このため、廃棄物の底泥置換処理法を提案してきたが、廃棄物の底泥置換処理法の処理後、広い水域内での既実施場所確定が難しく、不測の状態の予測や対策が難しい課題があった。
このため、検証可能な廃棄物の底泥置換処理法を構築しようとするものである。
【課題を解決するための手段】
【０００４】
廃棄物を海底泥深く圧入処理を実施しようとする水域を、堤体構造で囲い締め切る「水域の空（UTSURU）」を構成しようとするものである。
堤体構造で囲い締切ることにより、堤体の自重の反力を利用して、廃棄物の圧入範囲を「水域の空（UTSURU）」内に限定させることが可能である。
また、水域が特定するためトラブルの予測、検証、対策が容易である。
（浄化堤堤で締切る場合）【０００５】
「水域の空（UTSURU）」構成する堤体を浄化堤５´（多空隙を有する接触酸化堤）で締切ることにより、「水域の空（UTSURU）」内の水域は静穏浄化水域で「水域の空（UTSURU）」内で発生する汚染水は浄化堤を透過し浄化される。
更に、堤体構造で囲い締切られた水域は静穏水域で、水質検査などの検証や管理が容易である。
（不透過性堤体で締切る場合）【０００６】
「水域の空（UTSURU）」構成する堤体を不透過堤４´で締切ることにより、廃棄物より汚染水が「水域の空（UTSURU）」外水域に流出する事がない。
特に、「水域の空（UTSURU）」内３´の水位を常に外水域  ７´の水位と同等以下に維持する。
内水位を常に外水域  ７´の水位以下に維持すると共に水質検査などの検証が可能である。
外水域  ７´の水位以下に維持する方法についてはポンプ８´で排出し、水質検査などの検証を行い、不適切であれば、水処理場９´で処理を行い、外水域  ７´に放流する。
以上の手段により、大量の廃棄物を恒久的に公害を発生させることなく安全に処分しよう
とするものである。
【発明の効果】
【０００７】
堤体構造で囲い締め切る「水域の空（UTSURU）」の水域内に廃棄物を海底泥深く圧入処理を行う廃棄物の底泥置換処理法で、堤体構造で囲い締切ることにより、堤体を構成する自重の反力が水底地盤に内在し、底泥置換処理される廃棄物は「水域の空（UTSURU）」の外側にはみ出すことがなく、廃棄物の圧入範囲を限定させる効果がある。
また、堤体構造で囲い締め切られた「水域の空（UTSURU）」の水域は静穏水域で、浄化堤で囲い締切られた水域は静穏浄化水域で、地震や波浪（津波）の影響の受けにくい水域で、検証や管理の措置が容易となる効果を有する。
特に、放射能は水を透過しにくい性質があり、放射能性廃棄物は水底地盤深く処理することが最も効果が高い。
（浄化堤堤で締切る場合）【０００８】
「水域の空（UTSURU）」構成する堤体を浄化堤５´  （多空隙を有する接触酸化堤）で締切ることにより、万一、廃棄物より汚染水が流出した場合でも、浄化堤を透過し浄化され外水域７´流出する。
（不透過堤体で締切る場合）【０００９】
「水域の空（UTSURU）」構成する堤体を不透過性堤体４´で締切ることにより、廃棄物の汚染水が流出する事がない。
特に「水域の空（UTSURU）」内水位を常に外水域  ７´の以下に維持することにより、内水域３´の汚染水は外水域７´に流出することがない。
排出する水量は主に降雨量で更に水処理水量は水質検査結果少なくなる。
以上のように大量の廃棄物を恒久的に公害を発生させることなく、安全に処分し、この海域や水域をより明確に特定する効果ある。
また、水域を特定しているため、の予測や検証、不測の対策が容易となる。
【図面の簡単な説明】
【００１０】
【図１】図１は「水域の空（UTSURO）」内に設置した廃棄物の底泥深層置換処理法の実施方法を示した平面図で、右半分は不透過性堤体で囲いで締切られた水域を示す。
【図２】図２は「水域の空（UTSURO）」内に設置した廃棄物の底泥深層置換処理法の実施方法を示した断面図で、左半分は透過性堤体で囲いで締切られた水域を示す。
【発明を実施するための最良の形態】
【００１１】
本発明をより詳細に説述するために、添付図面に従ってこれを説明する。
第1図に示すように、外水域７´に４´又は５´の堤体構造で囲い締め切る「水域の空（UTSURO）」を構成する。
４´は不透過性の堤体で、５´は透過型の浄化堤である。
この中に海底地盤２´にパイプを深く挿入し、開口部より廃棄物を圧入する「廃棄物の底泥深層置換処理法」１´を実施する。
「水域の空（UTSURO）」を構成する堤体は目的に合わせ、不透過性堤体４´及び、透過型の浄化堤５´を使用する。
内外の水を浄化する場合には、浄化堤５´を使用する。又、水密性を保持する場合には不透過性の堤体４´を使用する。不透過性の堤体４´は公知の土堰堤や公知の締切矢板堤である。
中でも、内水域３´に汚染水が発生したとして、完全な流出防止を行う場合には、常に内水域３´の水位が外水域７´の水位と同等以下を維持する。
内水域３´の水位が外水域７´の水位と同等以下を維持する為には、内水域３´の水をポ
ンプ８´で汲み上げ、水質検査の結果、良好の場合にはそのまま、外水域７´に放流する。汚染水であれば、処理場９´で水処理を行い、処理後外水域７´に放流する。
さらに「水域の空（UTSURO）」３´の水域は特定された水域で、日常的にも
不測の事態に備え、必要に応じ放射能検査など、水質や底質の測定や観察などの廃棄物処理の安全についての検証を行う。【００１２】
ごみや下水の焼却灰、などの廃棄物や放射性廃棄物を検証可能な方法により、環境保全上安全でしかも安価で大量に処理が可能で産業上の利用の可能性が高い。
【符号の説明】
【００１３】
１´：  廃棄物の底泥深層置換処理法の装置
２´： 海底地盤（泥）
３´： 「水域の空（UTSURO）」内水域
４´： 不透過堤体
５´： 浄化堤
６´：  締切矢板
７´：  外水域
８´：  ポンプ
９´：  水処理場 
【図１】
2013065137.tif 000003
【図２】
2013065137.tif 000004
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
（削除）
【請求項２】
水位変化のある水域を堤体構造で囲い締切る囲繞水域を「水域の空（ＵＴＳＵＲＯ）」と言う。「水域の空（ＵＴＳＵＲＯ）』内の水底泥深くにケイシングを挿入し、ケイシング端より底泥深層地盤内に廃棄物を注入処理する公知の「ＪＰ３０００１９３廃棄物の底泥深層置換処理法」による「水域の空（ＵＴＳＵＲＯ）」内に設置した廃棄物の底泥深層置換処理法」
【請求項３】
浄化堤体で構成する「水域の空（ＵＴＳＵＲＯ）」内に設置した公知の「ＪＰ３０００１９３廃棄物の底泥置換処理法」を実施する「水域の空（ＵＴＳＵＲＯ）」内に設置した廃棄物の底泥深層置換処理法」
【請求項４】
不透過性堤体により構成する「水域の空（ＵＴＳＵＲＯ）」内に設置した公知の「ＪＰ３０００１９３廃棄物の底泥置換処理法」を実施する「水域の空（ＵＴＳＵＲＯ）」内に設置した廃棄物の底泥深層置換処理法」
【請求項５】
「水域の空（ＵＴＳＵＲＯ）」を構成した不透過堤体の内側にＬＷＬ（低水位水面）を維持する水路を保持したダブル堤体で構成した「水域の空（ＵＴＳＵＲＯ）」内に設置する公知の「ＪＰ３０００１９３廃棄物の底泥深層置換処理法」を実施する「水域の空（ＵＴＳＵＲＯ）」内に設置した廃棄物の底泥深層置換処理法」
【国際調査報告】
2013065137.tif 000005
2013065137.tif 000006